(57)【要約】【課題】会議に集中できるようにすると共に磁気テープの所望位置に検索用のマーク信号を記録できるようにすることを目的とする。【解決手段】直流バイアスを発生する直流バイアス発生手段３，４と、マーク信号を発生するマーク信号発生手段１５と、マークスイッチ２２と、磁気テープＴに記録及び再生する記録再生ヘッド１とを有し、この記録再生ヘッド１でこの磁気テープＴを再生しているときにおいて、このマークスイッチ２２を操作したときに、この直流バイアス発生手段２，４，２９よりの直流バイアスにこのマーク信号発生手段１５よりのマーク信号Ｍを重畳した信号をこの記録再生ヘッド１に供給し、このマーク信号Ｍをこの磁気テープＴに記録するようにしたものである。【選択図】　　　　図１
2004127360.tif 000002
【特許請求の範囲】
【請求項１】
直流バイアスを発生する直流バイアス発生手段と、マーク信号を発生するマーク信号発生手段と、マークスイッチと、磁気テープに記録及び再生する記録再生ヘッドとを有し、前記記録再生ヘッドで前記磁気テープを再生しているときにおいて、前記マークスイッチを操作したときに、前記直流バイアス発生手段よりの直流バイアスに前記マーク信号発生手段よりのマーク信号を重畳した信号を前記記録再生ヘッドに供給し、前記マーク信号を前記磁気テープに記録するようにしたことを特徴とするテープレコーダ。
【請求項２】
請求項１記載のテープレコーダにおいて、
前記マーク信号発生手段は前記磁気テープの駆動用モータであることを特徴とするテープレコーダ。
【発明の詳細な説明】
【０００１】
【発明の属する技術分野】
本発明は、会議の録音等に使用して好適なテープレコーダに関する。
【０００２】
【従来の技術】
一般に、会議を録音するのにテープレコーダが使用されている。この会議の録音において、所望位置に低周波数信号のマーク信号（キュー信号）を数秒間例えば３〜５秒間記録し、後日その所望位置を再生状態で早送り、巻戻し等によりこのマーク信号を検索し、所望位置を聴き直す如くしていた。
【０００３】
従来は、このマーク信号を磁気テープの所望位置に記録するのに会議の録音中に行う如くなされていた。
【０００４】
【発明が解決しようとする課題】
従来のテープレコーダにおいては、磁気テープの所望位置にマーク信号を記録するのに例えば会議の場合この会議中に行うので、会議中にどこにマーク信号を記録すべきかを、常に注意しなければならないため、この会議に集中できない不都合があった。
【０００５】
本発明は、斯る点に鑑み、会議に集中できるようにすると共に磁気テープの所望位置に検索用のマーク信号を記録できるようにすることを目的とする。
【０００６】
【課題を解決するための手段】
本発明テープレコーダは、直流バイアスを発生する直流バイアス発生手段と、マーク信号を発生するマーク信号発生手段と、マークスイッチと、磁気テープに記録及び再生する記録再生ヘッドとを有し、この記録再生ヘッドでこの磁気テープを再生しているときにおいて、このマークスイッチを操作したときに、この直流バイアス発生手段よりの直流バイアスにこのマーク信号発生手段よりのマーク信号を重畳した信号をこの記録再生ヘッドに供給し、このマーク信号をこの磁気テープに記録するようにしたものである。
【０００７】
斯る本発明によれば、例えば会議の録音後に、磁気テープにマーク信号をこの磁気テープを再生しながら、所望位置に記録するので、このマーク信号をより適切な所望位置に記録できると共に会議中は録音するだけで良いので、会議に集中することができる。
【０００８】
【発明の実施の形態】
以下図１、図２を参照して本発明テープレコーダの実施の形態の例につき説明する。
【０００９】
図１において、１は磁気テープＴに音声信号を記録すると共にこの磁気テープＴより音声信号を再生する如くなされた記録再生ヘッドを示し、この記録再生ヘッド１の巻線の一端を、この記録再生ヘッド１の記録時の記録バイアス電流を決定する抵抗器２を介して正の直流電圧が供給される電源端子３に接続する。
【００１０】
この電源端子３を直流バイアスの電圧値を決定する定電圧素子であるツェナーダイオード４を介して接地すると共に平滑用のコンデンサ３１を介して接地する。
【００１１】
また、この記録再生ヘッド１の巻線の一端を第１の録再切換スライドスイッチ５の一側接点５ａに接続する。この第１の録再切換スライドスイッチ５の共通接点５ｂを接地し、この第１の録再切換スライドスイッチ５の他側接点５ｃをこの記録再生ヘッド１の巻線の他端に接続する。
【００１２】
また、第２の録再切換スライドスイッチ６の共通接点６ｂを直流分除去用の結合コンデンサ８及び増幅回路９の直列回路を介して、第３の録再切換スライドスイッチ７の共通接点７ｂに接続し、この第２の録再切換スライドスイッチ６の他側接点６ｃを音声を音声信号に変換するマイクロホン１０に接続する。
【００１３】
この第３の録再切換スライドスイッチ７の一側接点７ａをボリウムを構成する可変抵抗器１１及び増幅回路１１ａを介してスピーカ１２に接続する。この第３の録再切換スライドスイッチ７の他側接点７ｃをイコライザ回路を構成するコンデンサ１３及び抵抗器１４の並列回路を介して記録再生ヘッド１の巻線の一端に接続する。
【００１４】
この第１、第２及び第３の録再切換スライドスイッチ５，６及び７の夫々の可動子５ｄ，６ｄ及び７ｄを互いに連動する如くする。この場合、この可動子５ｄ，６ｄ，７ｄは再生側のときは、夫々一側接点５ａ，６ａ，７ａと共通接点５ｂ，６ｂ，７ｂとを短絡し、記録側のときは夫々共通接点５ｂ，６ｂ，７ｂと他側接点５ｃ，６ｃ，７ｃとを短絡する。
【００１５】
図１中、１５は、このテープレコーダの磁気テープを駆動する駆動用モータの巻線を示し、この駆動用モータの巻線１５に得られる例えば１２０Ｈｚの逆起電圧信号を本例においては低周波数信号のマーク信号（キュー信号）として使用する。
【００１６】
この駆動用モータの巻線１５に得られる低周波数のマーク信号を低周波ノイズカット用のコンデンサ１６及び抵抗器１７の直列回路を介してｎｐｎ形トランジスタ１８のコレクタに供給する。この場合、抵抗器１７及びトランジスタ１８のコレクタの接続点をコンデンサ３０を介して接地する。このコンデンサ３０により高周波成分を側路し、このマーク信号を正弦波信号に近づける如くする。このトランジスタ１８のエミッタを記録再生ヘッド１の巻線の他端に接続する。
【００１７】
また本例においては、電源端子３を抵抗器１９を介してｎｐｎ形トランジスタ２０のベースに接続し、このトランジスタ２０のエミッタを記録再生ヘッド１の巻線の他端に接続し、このトランジスタ２０のコレクタを第２の録再切換スライドスイッチ６の一側接点６ａに接続する。このトランジスタ２０のコレクタ及びエミッタ間に抵抗器２１を接続する。この抵抗器２１はマーク信号を記録時に再生音声信号及びこの低周波信号のマーク信号の音がスピーカ１２より聴こえるようにするためのものである。
【００１８】
また本例においては、電源端子３をプッシュ型のマークスイッチ２２、抵抗器２３及び抵抗器２４の直列回路を介してｎｐｎ形トランジスタ２５のベースに接続する。このトランジスタ２５のコレクタをトランジスタ２０のベースに接続し、このトランジスタ２５のエミッタを接地する。
【００１９】
この抵抗器２３及び２４の接続中点を抵抗器２６及び２７の直列回路を介して接地すると共にこの抵抗器２３及び２４の接続中点をコンデンサ２８を介して接地する。この抵抗器２６及び２７の接続中点をトランジスタ１８のベースに接続する。この場合、抵抗器２４，２６及び２７により、このトランジスタ１８が必ず、トランジスタ２０が不導通となった後に導通する如くする。また抵抗器２３及びコンデンサ２８によりマークスイッチのクリックを軽減する如くする。
【００２０】
また、電源端子３を抵抗器２９を介してトランジスタ１８のコレクタに接続する。この抵抗器２９はマーク信号を記録するときの直流バイアスの電流値を決定する抵抗器で本例では、この直流バイアスが既に磁気テープＴに記録されている音声信号Ｓを消去しないように、できるだけ浅くなる如くする。
【００２１】
この図１例においては、磁気テープＴに会議等を録音するときには、この第１、第２、第３の録再切換スライドスイッチ５，６，７の夫々の可動子５ｄ，６ｄ，７ｄを記録側とし、夫々共通接点５ｂ，６ｂ，７ｂと他側接点５ｃ，６ｃ，７ｃとを短絡する。
【００２２】
このときは、記録再生ヘッド１の巻線の他端が第１の録再切換スライドスイッチ５の他側接点５ｃ、可動子５ｄ及び共通接点５ｂを介して接地され、マイクロホン１０よりの音声信号が第２の録再切換スライドスイッチ６の他側接点６ｃ→可動子６ｄ→共通接点６ｂ→コンデンサ８→増幅回路９→第３の録再切換スライドスイッチ７の共通接点７ｂ→可動子７ｄ→他側接点７ｃ→コンデンサ１３及び抵抗器１４の並列回路を介してこの記録再生ヘッド１の巻線の一端に供給されると共に電源端子３よりの直流バイアス電流が抵抗器２を介して、この記録再生ヘッド１の巻線の一端に供給され、この磁気テープＴにこの会議等の音声信号Ｓが例えば図２Ａに示す如く記録される。
【００２３】
この図１例において、磁気テープＴに記録した音声信号Ｓを再生するときには、図１に示す如くこの第１、第２、第３の録再切換スライドスイッチ５，６，７の夫々の可動子５ｄ，６ｄ，７ｄを再生側とし、夫々一側接点５ａ，６ａ，７ａと共通接点５ｂ，６ｂ，７ｂとを短絡する。
【００２４】
このときは、記録再生ヘッド１の巻線の一端が第１の録再切換スライドスイッチ５の一側接点５ａ、可動子５ｄ及び共通接点５ｂを介して接地される。この場合、トランジスタ２０は導通状態であるので、この記録再生ヘッド１に得られる、再生音声信号はトランジスタ２０→第２の録再切換スライドスイッチ６の一側接点６ａ→可動子６ｄ→共通接点６ｂ→コンデンサ８→増幅回路９→第３の録再切換スライドスイッチ７の共通接点７ｂ→可動子７ｄ→一側接点７ａ→可変抵抗器１１→増幅回路１１ａを介してスピーカ１２に供給され再生音を得ることができる。
【００２５】
本例において、会議等の録音された磁気テープＴの所望位置にマーク信号を記録するときには、図１に示す如く、再生状態としての再生音を聴きながら、この所望位置にきたときに、マークスイッチ２２を所定時間例えば３〜５秒間オンする如くする。
【００２６】
このマークスイッチ２２をオンしたときには、トランジスタ２５が導通となり、トランジスタ２０のベースが接地されるので、このトランジスタ２０が不導通となり、その後トランジスタ１８が導通となり、直流バイアス電流に駆動用モータの巻線１５よりの低周波信号のマーク信号が重畳された信号が、このトランジスタ１８を介して記録再生ヘッド１の巻線の他端に供給され、例えば図２Ｂに示す如く、磁気テープＴの所望位置にこのマーク信号Ｍが既に記録されている音声信号Ｓに重畳して記録される。
【００２７】
この場合、この記録再生ヘッド１で再生された音声信号及びこのマーク信号は抵抗器２１→第２の録再切換スライドスイッチ６の一側接点６ａ→可動子６ｄ→共通接点６ｂ→コンデンサ８→増幅回路９→第３の録再切換スライドスイッチ７の共通接点７ｂ→可動子７ｄ→一側接点７ａ→可変抵抗器１１→増幅回路１１ａを介してスピーカ１２に供給されこのときの再生音声信号の音声及びマーク信号の低周波音を聴くことができ、適切なマーク信号の記録ができる。
【００２８】
その後、この磁気テープＴに記録されている音声信号Ｓの所望位置を検索するときには、このテープレコーダを再生状態で早送り又は巻戻し状態とする。このときは磁気テープＴの送り速度は通常の再生状態の例えば３０〜５０倍となるのでこの例えば１２０Ｈｚの低周波信号のマーク信号は３６００〜６０００Ｈｚの音として図２Ｄに示す如く再生されこの所望位置を良好に検索することができる。
【００２９】
以上述べた如く、本例によれば、例えば会議の録音にマーク信号を記録するのに、会議後にこの録音した磁気テープＴを再生しながらこの磁気テープＴの所望位置にマーク信号Ｍを記録するので、このマーク信号Ｍをより適切な所望位置に記録できると共に会議中は録音するだけで良いので、会議中は会議に集中することができる。
【００３０】
図３は本発明の実施の形態の他の例を示す。この図３例につき説明するに、この図３において、図１に対応する部分には同一符号を付し、その詳細説明は省略する。
【００３１】
図３例においては、記録再生ヘッド１の巻線の一端を、この記録再生ヘッド１の記録時の記録バイアス電流を決定する抵抗器２を介して正の直流電圧が供給される電源端子３に接続する。
【００３２】
この電源端子３を直流バイアスの電圧値を決定する定電圧素子であるツエナーダイオード４を介して接地すると共に平滑用のコンデンサ３１を介して接地する。
【００３３】
また、この記録再生ヘッド１の巻線の一端を第１の録再切換スライドスイッチ５の一側接点５ａに接続する。この第１の録再切換スライドスイッチ５の共通接点５ｂを接地し、この第１の録再切換スライドスイッチ５の他側接点５ｃをこの記録再生ヘッド１の巻線の他端に接続する。
【００３４】
また、第２の録再切換スライドスイッチ６の共通接点６ｂを直流分除去用の結合コンデンサ８及び増幅回路９の直列回路を介して、第３の録再切換スライドスイッチ７の共通接点７ｂに接続し、この第２の録再切換スライドスイッチ６の他側接点６ｃを音声を音声信号に変換するマイクロホン１０に接続する。
【００３５】
この第３の録再切換スライドスイッチ７の一側接点７ａをボリウムを構成する可変抵抗器１１及び増幅回路１１ａを介してスピーカ１２に接続する。この第３の録再切換スライドスイッチ７の他側接点７ｃをイコライザ回路を構成するコンデンサ１３及び抵抗器１４の並列回路を介して記録再生ヘッド１の巻線の一端に接続する。
【００３６】
この第１、第２及び第３の録再切換スライドスイッチ５，６及び７の夫々の可動子５ｄ，６ｄ及び７ｄを互いに連動する如くする。この場合、この可動子５ｄ，６ｄ，７ｄは再生側のときは、夫々一側接点５ａ，６ａ，７ａと共通接点５ｂ，６ｂ，７ｂとを短絡し、記録側のときは夫々共通接点５ｂ，６ｂ，７ｂと他側接点５ｃ，６ｃ，７ｃとを短絡する。
【００３７】
また駆動用モータの巻線１５に得られる例えば１２０Ｈｚの逆起電圧信号を本例においては低周波数信号のマーク信号として使用する。
【００３８】
この駆動用モータの巻線１５に得られる低周波信号のマーク信号を低周波ノイズカット用のコンデンサ１６及び抵抗器１７の直列回路を介してマークスイッチ２２を構成する自己復帰型のスライドスイッチの一側接点２２ａに供給する。
【００３９】
この場合、この抵抗器１７及びマークスイッチ２２の一側接点２２ａの接続点をコンデンサ３０を介して接地する。このコンデンサ３０により高周波成分を側路し、このマーク信号を正弦波信号に近づける如くする。
【００４０】
また、電源端子３を抵抗器２９を介してこのマークスイッチ２２の一側接点２２ａに接続する。この抵抗器２９はマーク信号を記録するときの直流バイアスの電流値を決定する抵抗器で、本例においてはこの直流バイアスが既に磁気テープＴに記録されている音声信号Ｓを消去しないように、できるだけ浅くなる如くする。
【００４１】
このマークスイッチ２２の共通接点２２ｂを記録再生ヘッド１の巻線の他端及び第１の録再切換スライドスイッチ５の他側接点５ｃに接続し、このマークスイッチ２２の他側接点２２ｃを第２の録再切換スライドスイッチ６の一側接点６ａに接続する。このマークスイッチ２２の共通接点２２ｂと他側接点２２ｃとの間に抵抗器２１を接続する。この抵抗器２１はマーク信号を記録時に再生音声信号及びこの低周波信号のマーク信号の音がスピーカ１２より聴こえるようにするためのものである。
【００４２】
このマークスイッチ２２の可動子２２ｄは常時は共通接点２２ｂ及び他側接点２２ｃを短絡しており、この可動子２２ｄを操作（プッシュ）している間だけ、一側接点２２ａ及び共通接点２２ｂを短絡する如くなしたものである。
【００４３】
斯る図３例において、磁気テープＴに会議等を録音するときには、この第１、第２、第３の録再切換スライドスイッチ５，６，７の夫々の可動子５ｄ，６ｄ，７ｄを記録側とし、夫々共通接点５ｂ，６ｂ，７ｂと他側接点５ｃ，６ｃ，７ｃとを短絡する。
【００４４】
このときは、記録再生ヘッド１の巻線の他端が第１の録再切換スライドスイッチ５の他側接点５ｃ、可動子５ｄ及び共通接点５ｂを介して接地され、マイクロホン１０よりの音声信号が第２の録再切換スライドスイッチ６の他側接点６ｃ→可動子６ｄ→共通接点６ｂ→コンデンサ８→増幅回路９→第３の録再切換スライドスイッチ７の共通接点７ｂ→可動子７ｄ→他側接点７ｃ→コンデンサ１３及び抵抗器１４の並列回路を介してこの記録再生ヘッド１の巻線の一端に供給されると共に電源端子３よりの直流バイアス電流が抵抗器２を介して、この記録再生ヘッド１の巻線の一端に供給され、この磁気テープＴにこの会議等の音声信号Ｓが例えば図２Ａに示す如く記録される。
【００４５】
この図３例において、磁気テープＴに記録した音声信号Ｓを再生するときには、図３に示す如くこの第１、第２、第３の録再切換スライドスイッチ５，６，７の夫々の可動子５ｄ，６ｄ，７ｄを再生側とし、夫々一側接点５ａ，６ａ，７ａと共通接点５ｂ，６ｂ，７ｂとを短絡する。
【００４６】
このときは、記録再生ヘッド１の巻線の一端が第１の録再切換スライドスイッチ５の一側接点５ａ、可動子５ｄ及び共通接点５ｂを介して接地される。この場合、マークスイッチ２２の共通接点２２ｂ及び他側接点２２ｃは可動子２２ｄにより短絡されているので、この記録再生ヘッド１に得られる、再生音声信号はマークスイッチ２２の共通接点２２ｂ→可動接点２２ｄ→他側接点２２ｃ→第２の録再切換スライドスイッチ６の一側接点６ａ→可動子６ｄ→共通接点６ｂ→コンデンサ８→増幅回路９→第３の録再切換スライドスイッチ７の共通接点７ｂ→可動子７ｄ→一側接点７ａ→可変抵抗器１１→増幅回路１１ａを介してスピーカ１２に供給され再生音を得ることができる。
【００４７】
本例において、会議等の録音された磁気テープＴの所望位置にマーク信号を記録するときには、図３に示す如く、再生状態としての再生音を聴きながら、この所望位置にきたときに、マークスイッチ２２を所定時間例えば３〜５秒間操作し、一側接点２２ａと共通接点２２ｂとを短絡する如くする。
【００４８】
このマークスイッチ２２を操作したときには、マークスイッチ２２の一側接点２２ａと共通接点２２ｂとが短絡される。直流バイアス電流に駆動用モータの巻線１５よりの低周波信号のマーク信号が重畳された信号が、この記録再生ヘッド１の巻線の他端に供給され、例えば図２Ｂに示す如く、磁気テープＴの所望位置にこのマーク信号Ｍが既に記録されている音声信号Ｓに重畳して記録される。
【００４９】
この場合、この記録再生ヘッド１で再生された音声信号及びこのマーク信号は抵抗器２１→第２の録再切換スライドスイッチ６の一側接点６ａ→可動子６ｄ→共通接点６ｂ→コンデンサ８→増幅回路９→第３の録再切換スライドスイッチ７の共通接点７ｂ→可動子７ｄ→一側接点７ａ→可変抵抗器１１→増幅回路１１ａを介してスピーカ１２に供給されこのときの再生音声信号の音声及びマーク信号の低周波音を聴くことができ、適切なマーク信号の記録ができる。
【００５０】
従って斯る、図３例においても図１例同様の作用効果が得られることは容易に理解できよう。
【００５１】
尚上述例ではマーク信号Ｍを所定期間記録する如く述べたがこのマーク信号Ｍを図２Ｃに示す如く例えば３秒間記録後、１秒間あけて、更に３秒間記録するようにしても良い。このときの早送り又は巻戻し状態における再生信号は図２Ｅに示す如くなり、例えば３６００〜６０００Ｈｚの音が２回連続して再生される。
【００５２】
また本発明は上述例に限ることなく、本発明の要旨を逸脱することなくその他種々の構成が採り得ることは勿論である。
【００５３】
【発明の効果】
本発明によれば、例えば会議の録音にマーク信号を記録するのに、会議後にこの録音した磁気テープＴを再生しながらこの磁気テープＴの所望位置にマーク信号Ｍを記録するので、このマーク信号Ｍをより適切な所望位置に記録できると共に会議中は録音するだけで良いので、会議中は会議に集中することができる。
【図面の簡単な説明】
【図１】本発明テープレコーダの実施の形態の例を示す構成図である。
【図２】本発明の説明に供する線図である。
【図３】本発明の実施の形態の他の例を示す構成図である。
【符号の説明】
１‥‥記録再生ヘッド、２，１４，１７，１９，２１，２３，２４，２６，２７，２９‥‥抵抗器、３‥‥電源端子、４‥‥ツェナーダイオード、５，６，７‥‥録再切換スライドスイッチ、８，１３，１６，３０‥‥コンデンサ、９，１１ａ‥‥増幅回路、１０‥‥マイクロホン、１１‥‥可変抵抗器、１２‥‥スピーカ、１５‥‥モータの巻線、１８，２０，２５‥‥トランジスタ、２２‥‥マークスイッチ
【図１】
2004127360.tif 000003
【図２】
2004127360.tif 000004
【図３】
2004127360.tif 000005